Podtech/llm-jp-corpus-v4-ja_patent huggingface dataset:
【手続補正書】
【提出日】平成24年5月16日(2012.5.16)
【手続補正１】
【補正対象書類名】特許請求の範囲
【補正対象項目名】全文
【補正方法】変更
【補正の内容】
【特許請求の範囲】
【請求項１】
所定の始動条件の成立に応じて複数種類の識別情報を変動表示させ、表示結果を導出することで遊技の結果を確定する変動表示装置と、遊技者にとって有利な状態に変化する可変入賞装置とを備える遊技機であって、
前記始動条件の成立に基づいて、前記識別情報の変動表示の表示結果が導出されるよりも前に、該表示結果の導出後に遊技者にとって有利な特定遊技状態に制御するか否かを決定する特定決定手段と、
通常遊技状態において前記特定決定手段により前記特定遊技状態に制御する旨が決定されないときに、前記可変入賞装置を所定の特殊態様で前記有利な状態に変化させる特殊制御を行った後に前記特定決定手段により前記特定遊技状態に制御する旨が決定される確率が前記通常遊技状態よりも高い特別遊技状態に移行させる特別移行制御を行うか否かを決定する特別決定手段と、
前記通常遊技状態において前記特定決定手段により前記特定遊技状態に制御する旨が決定されないときに、前記特殊制御を行った後に前記通常遊技状態を維持する通常維持制御を行うか否かを決定する通常決定手段と、
前記特定決定手段、前記特別決定手段及び前記通常決定手段の決定結果に応じて、遊技状態を制御する遊技状態制御手段と、
少なくとも前記特定決定手段の決定結果に応じて、前記識別情報の変動表示の表示結果が導出されるまでに前記変動表示装置において行われる識別情報の変動パターンを選択する手段であって、前記特定遊技状態に制御する旨が決定されているときには前記特定遊技状態に制御する旨が決定されていないときよりも高い割合で複数種類の特定の変動パターンの何れかを選択する変動パターン選択手段と、
前記変動パターン選択手段により選択された変動パターンに従って前記変動表示装置において識別情報を変動表示させ、前記特定決定手段、前記特別決定手段及び前記通常決定手段の決定結果と前記変動パターン選択手段により選択された変動パターンとに応じた表示結果を導出させる変動表示演出を含む演出の実行を制御する演出制御手段と、
前記識別情報の変動表示が行われるときに前記演出制御手段により実行される演出のモードを、遊技状態が前記通常遊技状態と前記特別遊技状態の何れに制御されているかが特定不能であるとともに各々に実行される演出の態様が異なる複数種類の特定不能モードを含む複数種類のモードの何れかに制御する手段であって、少なくとも前記特殊制御が行われるときに、前記通常遊技状態と前記特別遊技状態の何れに制御されるかに応じてモードを制御するモード制御手段とを備え、
前記変動パターン選択手段は、前記複数種類の特定の変動パターンを種類毎に前記特定遊技状態に制御する旨が決定されているか否かに応じて異なる選択比率で選択するとともに、前記特別決定手段または前記通常決定手段の決定に基づいて前記特殊制御が行われるときに、前記複数種類の特定の変動パターンのうちの何れかを選択する特殊制御時選択手段を含み、
前記モード制御手段は、前記特殊制御が行われるときに、前記特殊制御時選択手段により選択された変動パターンの種類に応じて前記複数種類の特定不能モードのうちの何れかの特定不能モードに制御する特殊制御後モード制御手段を含む
ことを特徴とする遊技機。
【請求項２】
所定の始動条件の成立に応じて複数種類の識別情報を変動表示させ、表示結果を導出することで遊技の結果を確定する変動表示装置と、遊技者にとって有利な状態に変化する可変入賞装置とを備える遊技機であって、
前記始動条件の成立に基づいて、前記識別情報の変動表示の表示結果が導出されるよりも前に、該表示結果の導出後に遊技者にとって有利な特定遊技状態に制御するか否かを決定する特定決定手段と、
通常遊技状態において前記特定決定手段により前記特定遊技状態に制御する旨が決定されないときに、前記可変入賞装置を所定の特殊態様で前記有利な状態に変化させる特殊制御を行った後に前記特定決定手段により前記特定遊技状態に制御する旨が決定される確率が前記通常遊技状態よりも高い特別遊技状態に移行させる特別移行制御を行うか否かを決定する特別決定手段と、
前記通常遊技状態において前記特定決定手段により前記特定遊技状態に制御する旨が決定されないときに、前記特殊制御を行った後に前記通常遊技状態を維持する通常維持制御を行うか否かを決定する通常決定手段と、
前記特定決定手段、前記特別決定手段及び前記通常決定手段の決定結果に応じて、遊技状態を制御する遊技状態制御手段と、
少なくとも前記特定決定手段の決定結果に応じて、前記識別情報の変動表示の表示結果が導出されるまでに前記変動表示装置において行われる識別情報の変動パターンを選択する手段であって、前記特定遊技状態に制御する旨が決定されているときには前記特定遊技状態に制御する旨が決定されていないときよりも高い割合で複数種類の特定の変動パターンの何れかを選択する変動パターン選択手段と、
前記変動パターン選択手段により選択された変動パターンに従って前記変動表示装置において識別情報を変動表示させ、前記特定決定手段、前記特別決定手段及び前記通常決定手段の決定結果と前記変動パターン選択手段により選択された変動パターンとに応じた表示結果を導出させる変動表示演出を含む演出の実行を制御する演出制御手段と、
前記識別情報の変動表示が行われるときに前記演出制御手段により実行される演出のモードを、遊技状態が前記通常遊技状態と前記特別遊技状態の何れに制御されているかが特定不能な特定不能モードを含む複数種類のモードの何れかに制御する手段であって、少なくとも前記特殊制御が行われるときに、前記通常遊技状態と前記特別遊技状態の何れに制御されるかに応じてモードを制御するモード制御手段とを備え、
前記変動パターン選択手段は、前記複数種類の特定の変動パターンを種類毎に前記特定遊技状態に制御する旨が決定されているか否かに応じて異なる選択比率で選択するとともに、前記特別決定手段または前記通常決定手段の決定に基づいて前記特殊制御が行われるときに、前記通常遊技状態と前記特別遊技状態の何れに制御されるかに応じて前記複数種類の特定の変動パターンのうちの何れかを選択する特殊制御時選択手段を含み、
前記複数種類の特定の変動パターンの何れかで実行された変動表示の後に前記特殊制御が行われ、前記特定不能モードに制御されたときにおいて、前記特定遊技状態に制御されていることの期待度は、該特定不能モードに制御される前の変動表示で選択された特定の変動パターンの種類により異なる
ことを特徴とする遊技機。
【手続補正書】
【提出日】平成24年3月23日(2012.3.23)
【手続補正１】
【補正対象書類名】明細書
【補正対象項目名】０００７
【補正方法】変更
【補正の内容】
【０００７】
上記の課題を解決するため、本発明の空気清浄機能付き保管棚は、次のような構成を備えている。すなわち、
（１）本体が上面、底面、左右両側面及び背面からなり、概略直方体の前面を開口とし、内部空間を複数の棚板で分割してなる保管棚において、前記左右両側面及び背面のいずれか一方に、前記内部空間内に連通する吸い込み口、いずれか他方に、前記内部空間に連通する吹き出し口を配設し、該吸い込み口と吹き出し口を前記保管棚の本体内に設けた風路により接続するとともに、該風路の内部に送風機及びイオン発生器を順に設け、イオンを含む空気を、前記吹き出し口を介し前記棚板で分割された各棚空間に吹き出すようにした。
【手続補正２】
【補正対象書類名】特許請求の範囲
【補正対象項目名】全文
【補正方法】変更
【補正の内容】
【特許請求の範囲】
【請求項１】
本体が上面、底面、左右両側面及び背面からなり、概略直方体の前面を開口とし、内部空間を複数の棚板で分割してなる保管棚において、
前記左右両側面及び背面のいずれか一方に、前記内部空間内に連通する吸い込み口、いずれか他方に、前記内部空間に連通する吹き出し口を配設し、該吸い込み口と吹き出し口を前記書籍棚の本体に設けた風路により接続するとともに、該風路の内部に送風機及びイオン発生器を順に設け、イオンを含む空気を、前記吹き出し口を介し前記棚板で分割された各棚空間に吹き出すようにしたことを特徴とする空気清浄機能付き保管棚。
【請求項２】
請求項１に記載の空気清浄機能付き保管棚において、
前記吸い込み口を前記左右両側面に、前記吹き出し口を前記背面に配設し、前記送風機から前記吹き出し口に到る送風経路を、前記背面に一経路のみ配設したことを特徴とする空気清浄機能付き保管棚。
【請求項３】
前記棚板のそれぞれに重量センサーを設け、各棚空間の保管量に応じて、前記吹き出し口からの送風量を調節するようにしたことを特徴とする請求項１または２に記載の空気清浄機能付き保管棚。
【請求項４】
前記吹き出し口に可動ルーバーを設置し、前記重量センサーの信号に応じて、ルーバーを制御して送風量を調節することを特徴とする請求項３に記載の空気清浄機能付き保管棚。
【請求項５】
前記吸い込み口にも可動ルーバーを設置し、前記重量センサーの信号に応じて、前記吹き出し口に設置した可動ルーバーと連動して、前記吸い込み口に設置した可動ルーバーを制御して、吸い込み量を調節することを特徴とする請求項４に記載の空気清浄機能付き保管棚。
【手続補正書】
【提出日】平成24年6月27日(2012.6.27)
【手続補正１】
【補正対象書類名】特許請求の範囲
【補正対象項目名】全文
【補正方法】変更
【補正の内容】
【特許請求の範囲】
【請求項１】
セリア−ジルコニア複合酸化物に白金及びパラジウムの少なくとも一方を担持してなる触媒粉末と、結晶構造中にセリウムを含有するアルミナのみからなるCe／アルミナ粉末と、が混合されてなることを特徴とする排ガス浄化用触媒。
【請求項２】
前記Ce／アルミナ粉末のアルミナにはセリウムが金属Ceとして５〜10質量％含有されている請求項１に記載の排ガス浄化用触媒。
【手続補正２】
【補正対象書類名】明細書
【補正対象項目名】００１２
【補正方法】変更
【補正の内容】
【００１２】
上記課題を解決する本発明の排ガス浄化用触媒の特徴は、セリア−ジルコニア複合酸化物に白金及びパラジウムの少なくとも一方を担持してなる触媒粉末と、結晶構造中にセリウムを含有するアルミナのみからなるCe／アルミナ粉末と、が混合されてなることにある。
【手続補正書】
【提出日】平成24年3月22日(2012.3.22)
【手続補正１】
【補正対象書類名】特許請求の範囲
【補正対象項目名】全文
【補正方法】変更
【補正の内容】
【特許請求の範囲】
【請求項１】
体内で使用するためのステント送達システムであって、
ａ）ステント長さを有する自己伸張型ステントと、
ｂ）該ステントを移植する際に身体の外側から身体の内部の位置に伸張するのに十分な長さを有する内側管状部材と、
該内側管状部材が該内側管状部材の近位端で始まる第一直径を有する近位部分であって、該内側管状部材の長さに沿って該近位部分の遠位端まで実質的な部分を延びる近位部分と、
前記第一直径より小さい第二直径を有し、前記第一直径から第二直径に段階的に直径が小さくなるように前記近位部分の前記遠位端で画定されるショルダ部で始まる遠位ステント装填部分であって、前記ステント長さにほぼ等しい長さを有する遠位ステント装填部分とを有し、
前記ステントが圧縮状態で前記ステント装填部分に装填されて前記内部管状部材の長手方向軸にほぼ垂直な平面に拡がるショルダ表面に当接するようになっており、
ｃ）前記ステントと前記内側管状部材にわたって長手方向にスライド可能な外側ジャケットと、
該外側ジャケットが、前記内部管状部材に対して近位方向に後退するまで前記自己伸張型ステントを伸張しないように拘束しており、および
ｄ）前記ショルダに隣接して前記ステント装填部分に連続して一体的に形成された単一の隆起構造と、を含み、
前記ステントは、完全に圧縮された状態で前記隆起構造に摩擦接触し、これによって前記外側ジャケットが前記隆起構造を除去するまでステントの解放が防止されるようになっている、ステント送達システム。
【請求項２】
前記隆起構造は、前記ステントが該隆起構造と外側ジャケットとの間で圧縮されるような大きさになっていることを特徴とする、請求項１に記載のステント送達システム。
【請求項３】
前記隆起構造は、前記ステント装填部分の周囲に延びている、請求項１に記載のステント送達システム。
【請求項４】
前記内側管状部材および該外側ジャケットの少なくとも１つは、以下：
ｉ）ポリテトラフルオロエチレン（ＰＴＦＥ）、フッ化エチレンプロピレン（ＦＥＰ）、高密度ポリエチレン（ＨＤＰＥ）およびウレタンからなる群より選択される内側層；
ｉｉ）中間ワイヤ組物層；および
ｉｉｉ）ポリエーテルベースのポリアミド外側層の三層構造を含む、請求項１に記載のステント送達システム。
【請求項５】
前記内側管状部材は内側第一部分と相対的に遠位の内側第二部分を備え、外側ジャケットは外側第一部分と相対的に遠位の外側第二部分を備え、前記内側管状部材と外側ジャケットの前記各部分は前記三層構造を備えている、請求項４に記載のステント送達システム。
【請求項６】
前記第二部分は透明である、請求項５に記載のステント送達システム。
【請求項７】
前記外側ジャケットの前記第二部分の前記内側層と前記外側層との間に放射線不透過性のマーカーが埋め込まれている、請求項５または６に記載のステント送達システム。
【請求項８】
前記内側管状部材および前記外側ジャケットの両方が、前記三層構造を備える、請求項４ないし７のいずれか１つの請求項に記載のステント送達システム。
【請求項９】
前記三層構造は、同時押し出し物である、請求項４ないし８のいずれか１つの請求項に記載のステント送達システム。
【請求項１０】
前記中間ワイヤ組物層は、平坦なワイヤ組物である、請求項４ないし９のいずれか１つの請求項に記載のステント送達システム。
【請求項１１】
前記中間ワイヤ組物層は、ステンレス鋼合金およびコバルト−クロム合金の一つから作製される、請求項４ないし１０のいずれか１つの請求項に記載のステント送達システム。
【請求項１２】
前記ショルダの付近の前記遠位部分に隆起構造が提供される、請求項４ないし１１のいずれか１つの請求項に記載のステント送達システム。
【請求項１３】
前記隆起構造は、前記内側管状部材の前記第二の部分の周囲の周りを延びる、請求項１２に記載のステント送達システム。
【請求項１４】
固定部材、移動可能な部材および該固定部材に対する、該移動可能な部材を移動させ機
構を備える前記ハンドルを備え、ここで、該内側管状部材の該近位端部は、該固定部材に対して固定的に連結されており、該外側ジャケットの該近位端部は、該移動可能な部材に固定的に連結されており、そして該機構は、
ｉ）第一スプロケットおよび第二スプロケット、
ｉｉ）該第一スプロケットおよび該第二スプロケットの周りを延びる歯付ベルトであって、該ベルトは、該移動可能な部材に固定的に転結される、歯付ベルト；および
ｉｉｉ）該固定部材の外側に少なくとも部分的にのび、そしてそれに対して回転可能な少なくとも１つのベルトであって、該少なくとも１つのノブが該第一スプロケットに機械的に連結され、その結果、該少なくとも１つのノブの回転が、該スプロケットの周りで該ベルトの運動を生じさせ、そして該内側管状部材に対する該外側ジャケットの長手方向の運動を生じさせる、請求項４ないし１３のいずれか１つの請求項に記載のステント送達システム。
【請求項１５】
前記機構は、さらに、第一のギア歯を有するギアを備え、そして前記少なくとも１つのノブは、半径方向に内側に指向された第二ギア歯が提供された周辺部を備え、該第二歯は、該第一ギア歯と噛み合い、そして該ギアは、前記第一スプロケットと機械的に連結される、請求項１４に記載のステント送達システム。
【請求項１６】
前記固定部材は、２つの側面を規定し、そして該固定部材には２つのノブが該側面の各々に一つずつ回転可能に連結される、請求項１４または１５に記載のステント送達システム。
【請求項１７】
堅い可撓性要素であって、前記機構は、ギア歯を有する回転可能な要素を備え、そして該堅い可撓性要素は、該回転可能な要素の一つに接触して、その結果、該回転可能な要素の一つが回転可能な場合、該可撓性要素が聴取可能なクリック音を生成するようにされている、請求項１４ないし１６のいずれか１つの請求項に記載のステント送達システム。
【請求項１８】
前記内側管状部材に対して遠位方向への前記外側ジャケットの運動を妨害し、他方で該内側管状部材に対して近位方向への該外側ジャケットの運動を可能にするための手段
を備える、請求項１４ないし１７のいずれか１つの請求項に記載のステント送達システム。
【請求項１９】
前記固定部材は、長手方向の軸を規定し、そして前記少なくとも１つのノブは、該長手方向の軸に対して横手であり、かつ、垂直方向にオフセットである回転軸を規定する、請求項１４ないし１８のいずれか１つの請求項に記載のステント送達システム。
【手続補正書】
【提出日】平成24年4月20日(2012.4.20)
【手続補正１】
【補正対象書類名】特許請求の範囲
【補正対象項目名】全文
【補正方法】変更
【補正の内容】
【特許請求の範囲】
【請求項１】
以下の段階を含む、母系血漿試料中の胎児ＤＮＡを濃縮する方法：
選択的かつ実質的に完全に母系ＤＮＡを消化するメチル感受性酵素で血漿試料由来のＤＮＡを消化して、胎児ＤＮＡが濃縮された試料を得る段階。
【請求項２】
ＤＮＡの消化後に、胎児由来の核酸が選択的に増幅される、核酸増幅段階をさらに含む、請求項１記載の方法。
【請求項３】
前記メチル感受性酵素が、メチル化されていない核酸認識部位のみを消化する、請求項１記載の方法。
【請求項４】
前記メチル感受性酵素が、メチル化された核酸認識部位のみを消化する、請求項１記載の方法。
【請求項５】
前記ＤＮＡが、メチル感受性酵素を用いて消化される前に、前記血漿試料から単離される、請求項１記載の方法。
【請求項６】
前記試料中の母系ＤＮＡを、メチル感受性酵素を用いて消化した後に、消化されなかった胎児由来のＤＮＡを単離する段階をさらに含む、請求項１または５記載の方法。
【請求項７】
前記試料中に存在するＤＮＡを消化する段階が、２つまたはそれ以上のメチル感受性酵素を用いて行われる、請求項１記載の方法。
【請求項８】
胎児における染色体異常を決定するための方法であって、以下の段階：
（ａ）メチル感受性酵素を用いて、妊婦から得られた試料由来のＤＮＡを消化することによって、母系ＤＮＡと胎児ＤＮＡを含有する消化済試料を調製する段階であって、ここで、該メチル感受性酵素が、母系ＤＮＡ中における、あるＤＮＡ領域を実質的に完全に消化し、それによって該妊婦から得られた試料中の、消化されなかった胎児ＤＮＡが濃縮される、段階、および
（ｂ）該消化済試料における、非消化胎児ＤＮＡ中の該ＤＮＡ領域における一つ又は複数の父系遺伝子の遺伝子頻度を決定する段階、を含む方法であり、
ここで、該非消化胎児ＤＮＡ中の該ＤＮＡ領域における一つ又は複数の父系遺伝子の遺伝子頻度が、染色体異常を含んでいないことが分かっている対照試料におけるそれと比較して、少なくとも５％〜１６．７％異なっている場合に、該母系試料が、染色体異常を有する胎児ＤＮＡを含んでいることが示される、方法。
【請求項９】
前記メチル感受性酵素が、メチル化されていない核酸認識部位のみを消化し、ここで、母系または父系遺伝子頻度が、メチル化された胎児核酸領域に隣接または内在する多型マーカーを用いて決定される、請求項８記載の方法。
【請求項１０】
前記メチル感受性酵素が、メチル化されている核酸認識部位のみを消化し、ここで、母系または父系遺伝子頻度が、メチル化されていない胎児核酸領域に隣接または内在する多型マーカーを用いて決定される、請求項８記載の方法。
【請求項１１】
以下の段階をさらに含む、請求項８〜１０のいずれか一項記載の方法：
等温性機構（isothermal mechanism）を使用し、かつ同時に初期ヘミメチル化ＤＮＡをメチル化することで、段階（ａ）由来の消化済試料を増幅することによって、増幅された消化済試料を調製する段階、および
該増幅された消化済試料を消化し、第二の消化試料を調製する段階、
を含み、
ここで、前記一つ又は複数の父系遺伝子の遺伝子頻度が、該第二の消化試料から決定される、前記方法。
【請求項１２】
前記ＤＮＡが、妊婦から得られた血漿試料由来である、請求項８〜１１のいずれか一項記載の方法。
【請求項１３】
前記ＤＮＡが、消化前の血漿試料から単離されたＤＮＡである、請求項８〜１１のいずれか一項記載の方法。
【請求項１４】
染色体異常がＤＮＡ重複である、請求項８記載の方法。
【請求項１５】
染色体異常がＤＮＡ欠失である、請求項８記載の方法。
【請求項１６】
染色体異常が異数性である、請求項８記載の方法。
【請求項１７】
前記異数性が、２１トリソミー、１８トリソミー、および１３トリソミーからなる群より選択される、請求項１６記載の方法。
【手続補正書】
【提出日】平成24年1月17日(2012.1.17)
【手続補正１】
【補正対象書類名】特許請求の範囲
【補正対象項目名】請求項３
【補正方法】変更
【補正の内容】
【請求項３】
除糞操作間における上記予定の時間間隔が一回の除糞操作から次回の除糞操作の間までとし、その間にベルトコンベアをゆっくりした速度で前記予定の距離だけ連続して往復させることを特徴とする請求項１又は２記載の鶏舎装置の鶏糞の除去及び乾燥動作制御方法。
【手続補正２】
【補正対象書類名】特許請求の範囲
【補正対象項目名】請求項４
【補正方法】変更
【補正の内容】
【請求項４】
除糞操作間における上記予定の時間間隔に行われる上記ベルトコンベアの変位量が、隣接した吹き出し開口間の距離のほぼ半分に等しいことを特徴とする請求項１〜３のいずれか一項記載の鶏舎装置の鶏糞の除去及び乾燥動作制御方法。
【手続補正書】
【提出日】平成24年7月11日(2012.7.11)
【手続補正１】
【補正対象書類名】特許請求の範囲
【補正対象項目名】全文
【補正方法】変更
【補正の内容】
【特許請求の範囲】
【請求項１】
所定長の温湯タンクと、該温湯タンクよりも短い長さの冷却タンクとを並べて配置した種籾温湯消毒冷却装置であって、
前記温湯タンク内には温湯タンク内搬送コンベアを備え、前記冷却タンク内には冷却タンク内搬送コンベアを備え、
さらに前記温湯タンク内には前記温湯タンク内搬送コンベアの後段に、種籾収納袋受け渡しコンベアを備え、
該種籾収納袋受け渡しコンベアの搬送速度を前記温湯タンク内搬送コンベアの搬送速度よりも速くしたことを特徴とする種籾温湯消毒冷却装置。
【請求項２】
所定長の温湯タンクと、該温湯タンクよりも短い長さの冷却タンクとを並べて配置した種籾温湯消毒冷却装置であって、
前記温湯タンク及び冷却タンクの夫々は、温湯中或いは冷水中を走行する搬送コンベアを備え、
前記温湯タンク内を走行する温湯タンク内搬送コンベアは、該温湯タンクの始端部においてタンク外に露出した種籾収納袋装填領域を備えており、
前記冷却タンク内を走行する冷却タンク内搬送コンベアは、該冷却タンクの終端部においてタンク外に露出した種籾収納袋排出領域を備えており、
さらに、前記温湯タンク内には、種籾収納袋を前記温湯タンク内搬送コンベアから受け取り前記冷却タンク内搬送コンベアへ受け渡すための、種籾収納袋受け渡しコンベアを前記温湯タンク内搬送コンベアの後段側に備え、
前記種籾収納袋受け渡しコンベアは、該温湯タンクの終端部においてタンク外に露出した種籾収納袋受け渡し領域を備え、該種籾収納袋受け渡しコンベアの走行速度は、前記温湯タンク内搬送コンベアの走行速度に比して大きく構成したことを特徴とする種籾温湯消毒冷却装置。
【請求項３】
前記温湯タンク内搬送コンベアの終端側は、前記種籾収納袋受け渡しコンベアに種籾収納袋を受け渡すために温湯内で傾斜した上り坂領域を形成したことを特徴とする請求１項又は請求項２記載の種籾温湯消毒冷却装置。
【請求項４】
前記温湯タンク内を走行する温湯タンク内搬送コンベアは、当該温湯タンク内搬送コンベアの走行速度をＶｗ（ｍｍ／ｍｉｎ）とし、種籾収納袋の温湯内搬送時間を１０分とすると、タンク外に露出した種籾収納袋装填領域に続く温湯消毒領域の所定距離Ｌｗは、下記式によって算出される長さと実質的に等しくされることを特徴とする請求項１又は請求項２記載の種籾温湯消毒冷却装置。
Ｌｗ（ｍｍ）＝Ｖｗ（ｍｍ／ｍｉｎ）×１０
【請求項５】
前記温湯タンク内を走行する温湯タンク内搬送コンベアは、当該温湯タンク内搬送コンベアの搬送面に所定高さの板状体を複数枚備えることにより、当該温湯タンク内搬送コンベアの搬送面に所定幅の搬送区画を複数個形成し、当該搬送区画としての種籾収納袋の温湯内搬送時間を得るように構成したことを特徴とする請求項４記載の種籾温湯消毒冷却装置。
【請求項６】
前記冷却タンク内を走行する冷却タンク内搬送コンベアは、当該冷却タンク内搬送コンベアの走行速度をＶｃ（ｍｍ／ｍｉｎ）とし、種籾収納袋の冷水内搬送時間を５分とすると、タンク外に露出した前記種籾収納袋排出領域の前に冷却領域の所定距離Ｌｃは、下記式によって算出される長さと実質的に等しくされることを特徴とする請求項１又は請求項２記載の種籾温湯消毒冷却装置。
Ｌｃ（ｍｍ）＝Ｖｃ（ｍｍ／ｍｉｎ）×５
【請求項７】
前記冷却タンク内を走行する冷却タンク内搬送コンベアは、当該冷却タンク内搬送コンベアの搬送面に所定高さの板状体を複数枚備えることにより、当該冷却タンク内搬送コンベアの搬送面に所定幅の搬送区画を複数個形成し、当該搬送区画としての種籾収納袋の冷水内搬送時間を得るように構成したことを特徴とする請求項６記載の種籾温湯消毒冷却装置。
【請求項８】
前記温湯タンク内搬送コンベアの後段に備えた前記種籾収納袋受け渡しコンベアは、その搬送面に所定高さの板状体を複数枚備えることにより、当該種籾収納袋受け渡しコンベアの搬送面に所定幅の搬送区画を複数個形成したことを特徴とする請求項５又は請求項７記載の種籾温湯消毒冷却装置。
【手続補正２】
【補正対象書類名】明細書
【補正対象項目名】０００２
【補正方法】変更
【補正の内容】
【０００２】
種子を所定温度の温水に所定時間浸すことにより、種子に付着している病原菌を殺菌する方法およびその装置は、特許文献１（特許第２８７６００１号公報）において既に知られている。特許文献１には、一度に大量の種子を短時間で効果的に消毒処理することのできる種子の消毒装置として、消毒槽内に温水を貯留し、この消毒槽内で種子保持容器を搬送するコンベヤを敷設し、消毒槽に、この消毒槽内に貯留された温水を汲み上げるとともに、この汲み上げた温水をコンベヤにより搬送される種子保持容器内に保持された種子に対して所定の水圧を以て散布する撹拌装置を設けたものが記載されている。
【手続補正３】
【補正対象書類名】明細書
【補正対象項目名】０００８
【補正方法】変更
【補正の内容】
【０００８】
【特許文献１】特許第２８７６００１号公報
【特許文献２】特開２０００−３１６３２１号公報
【特許文献３】特開２０００−３４２０１８号公報
【特許文献４】特開２００２−３３０６０５号公報
【特許文献５】特開２００３−２３５３０８号公報
【特許文献６】特開２００３−２３５３０９号公報
【特許文献７】特開２００３−００９６１２号公報
【特許文献８】特開２００４−０００２６１号公報
【特許文献９】特開２００４−２９００１１号公報
【特許文献１０】特開２００４−００００９０号公報
【特許文献１１】特開２００６−２３０２７０号公報
【特許文献１２】特開２００６−２８０３８７号公報
【特許文献１３】特開２００６−３１４３３０号公報
【特許文献１４】特開２００６−０５０９８２号公報
【特許文献１５】特開２００６−０８１４２６号公報
【特許文献１６】特開２００７−０４９９２１号公報
【特許文献１７】特願２００６−３２０９２８号
【特許文献１８】特願２００６−３２０９２９号
【特許文献１９】特開２００５−３２８７２３号公報
【特許文献２０】特開２００５−０５２０２３号公報
【特許文献２１】特開２００６−１５８３０２号公報
【特許文献２２】特開２００６−３２０２６０号公報
【特許文献２３】特開２００６−０４２７４５号公報
【特許文献２４】特開２００７−１１６９８７号公報
【特許文献２５】特開２００６−３２０９２９号公報
【特許文献２６】特開２００７−１５１４０６号公報
【特許文献２７】特開２００８−０００１４９号公報
【特許文献２８】特開２００８−０００１５０号公報
【特許文献２９】特開２００８−０２２８６４号公報
【特許文献３０】特開２００８−０３５８７０号公報
【特許文献３１】実公平７−４２２４９号公報
【手続補正４】
【補正対象書類名】明細書
【補正対象項目名】００２２
【補正方法】変更
【補正の内容】
【００２２】
さらに、本発明の種籾温湯消毒冷却装置において、
前記温湯タンク内を走行する温湯タンク内搬送コンベアは、当該温湯タンク内搬送コンベアの走行速度をＶｗ（ｍｍ／ｍｉｎ）とし、種籾収納袋の温湯内搬送時間を１０分とすると、タンク外に露出した種籾収納袋装填領域に続く温湯消毒領域の所定距離Ｌｗは、下記式によって算出される長さと実質的に等しくされることを特徴とする。
Ｌｗ（ｍｍ）＝Ｖｗ（ｍｍ／ｍｉｎ）×１０
【手続補正書】
【提出日】平成23年12月22日(2011.12.22)
【手続補正１】
【補正対象書類名】特許請求の範囲
【補正対象項目名】全文
【補正方法】変更
【補正の内容】
【特許請求の範囲】
【請求項１】
複数のコイル列からなる電機子巻線と、
前記電機子巻線を覆うように設けられたキャンと、
前記電機子巻線と前記キャンの間に形成され、前記コイル列の表面を強制冷却するように冷媒を流す冷媒通路と、
を備えたコアレスリニアモータ電機子において、
前記電機子巻線を構成するコイル列とコイル列の間の表面および隙間部には、モールド樹脂を充填してあり、
前記モールド樹脂は、前記キャンとの間に位置する隙間部に該モールド樹脂の表面から該キャンの内壁に向けて突出し且つ冷媒の流れ方向に向かって流路断面積を部分的に絞る流路絞り部となる突起を形成したことを特徴とするコアレスリニアモータ電機子。
【請求項２】
前記突起が平面視で前記電機子巻線の隣り合うコイル列とコイル列の間または該コイル列の隣接部に沿って形成され、前記冷媒通路が平面視でコイル列に沿って長い偏平な流路断面形状を有することを特徴とする請求項１記載のコアレスリニアモータ電機子。
【請求項３】
前記突起は、前記モールド樹脂と同一材料としたことを特徴とする請求項１または２ に記載のコアレスリニアモータ電機子。
【請求項４】
前記突起は、前記モールド樹脂と一体成型したことを特徴とする請求項１または２に記載のコアレスリニアモータ電機子。
【請求項５】
前記突起は、前記キャンとの間に挟み込まれて保持されるゴム系弾性体を備え、前記ゴム系弾性体は、前記キャンに荷重が加わると圧縮変形して前記突起と前記キャンとの間の隙間を気密するシール部材であることを特徴とする請求項１〜４までの何れか１項に記載のコアレスリニアモータ電機子。
【請求項６】
請求項１〜５の何れか1項に記載の電機子と、
前期電機子と磁気的空隙を介して配置されると共に交互に極性が異なる複数の永久磁石を配列した界磁磁極と、を備え、
前記電機子と前記界磁磁極の何れか一方を固定子とし、他方を可動子として相対的に走
行するようにしたコアレスリニアモータ。
【手続補正２】
【補正対象書類名】明細書
【補正対象項目名】０００５
【補正方法】変更
【補正の内容】
【０００５】
上記問題を解決するため、請求項１に記載の発明は、複数のコイル列からなる電機子巻線と、前記電機子巻線を覆うように設けられたキャンと、前記電機子巻線と前記キャンの間に形成され、前記コイル列の表面を強制冷却するように冷媒を流す冷媒通路と、を備えたコアレスリニアモータ電機子において、前記電機子巻線を構成するコイル列とコイル列の間の表面および隙間部には、モールド樹脂を充填してあり、前記モールド樹脂は、前記キャンとの間に位置する隙間部に該モールド樹脂の表面から該キャンの内壁に向けて突出し且つ冷媒の流れ方向に向かって流路断面積を部分的に絞る流路絞り部となる突起を形成したことを特徴としている。
請求項２に記載の発明は、請求項１記載のコアレスリニアモータ電機子において、前記突起が平面視で前記電機子巻線の隣り合うコイル列とコイル列の間または該コイル列の隣接部に沿って形成され、前記冷媒通路が平面視でコイル列に沿って長い偏平な流路断面形状を有することを特徴としている。
請求項３に記載の発明は、請求項１または２に記載のコアレスリニアモータ電機子において、前記突起は、前記モールド樹脂と同一材料としたことを特徴としている。
請求項４に記載の発明は、請求項１または２に記載のコアレスリニアモータ電機子において、前記突起をモールド樹脂と一体成型したことを特徴としている。
請求項５に記載の発明は、請求項１〜４の何れか1項に記載のコアレスリニアモータ電機子において、前記突起は、前記キャンとの間に挟み込まれて保持されるゴム系弾性体を備え、前記ゴム系弾性体は、前記キャンに荷重が加わると圧縮変形して前記突起と前記キャンとの間の隙間を気密するシール部材であることを特徴としている。
請求項６に記載の発明は、請求項１〜５の何れか1項に記載の電機子と、前期電機子と磁気的空隙を介して配置されると共に交互に極性が異なる複数の永久磁石を配列した界磁磁極と、を備え、前記電機子と前記界磁磁極の何れか一方を固定子とし、他方を可動子として相対的に走行するようにしたコアレスリニアモータを特徴としている。
【手続補正書】
【提出日】平成23年12月22日(2011.12.22)
【手続補正１】
【補正対象書類名】特許請求の範囲
【補正対象項目名】全文
【補正方法】変更
【補正の内容】
【特許請求の範囲】
【請求項１】
コイルを集中巻きに巻回してなる電機子巻線と前記電機子巻線を固定するための電機子取付板とを有する電機子を備えたコアレスリニアモータ電機子において、
前記電機子取付板は、ベース部と、該ベース部に固定され、かつ、前記電機子巻線を取り付けるための等ピッチで櫛状に形成された複数の巻線取付部を含むと共に、前記電機子取付板の同一平面上に前記電機子巻線の配線パターンを有する基板が配置されたことを特徴とするコアレスリニアモータ電機子。
【請求項２】
少なくとも前記電機子取付板と前記巻線取付部をモールド樹脂で一体成形したことを特徴とする請求項１記載のコアレスリニアモータ電機子。
【請求項３】
前記基板を櫛状に構成すると共に、該基板を前記電機子取付板に配置された櫛状の巻線取付部の間に交互に噛み合うように対向配置したことを特徴とする請求項１または２に記載のコアレスリニアモータ電機子。
【請求項４】
前記基板を平板状に構成すると共に、前記電機子取付板の巻線取付部は、前記電機子巻線を位置決め固定するための凹状の溝部が設けられたことを特徴とする請求項１または２に記載のコアレスリニアモータ電機子。
【請求項５】
前記配線パターンが前記巻線取付板の内部に形成されたことを特徴とする請求項１〜４までの何れか１項に記載のコアレスリニアモータ電機子。
【請求項６】
請求項１〜５の何れか1項に記載の電機子と、前期電機子と磁気的空隙を介して配置されると共に界磁ヨーク上に交互に極性が異なる複数の永久磁石を等ピッチで直線状に配列した界磁磁極と、を備え、
前記電機子と前記界磁磁極の何れか一方を固定子とし、他方を可動子として相対的に走行するようにしたコアレスリニアモータ。
【手続補正２】
【補正対象書類名】明細書
【補正対象項目名】０００５
【補正方法】変更
【補正の内容】
【０００５】
上記問題を解決するため、請求項１に記載の発明は、コイルを集中巻きに巻回してなる電機子巻線と前記電機子巻線を固定するための電機子取付板とを有する電機子を備えたコアレスリニアモータ電機子において、前記電機子取付板は、ベース部と、該ベース部に固定され、かつ、前記電機子巻線を取り付けるための等ピッチで櫛状に形成された複数の巻線取付部を含むと共に、前記電機子取付板の同一平面上に前記電機子巻線の配線パターンを有する基板が配置されたことを特徴としている。
また、請求項２に記載の発明は、請求項１記載のコアレスリニアモータにおいて、少なくとも前記電機子取付板と前記巻線取付部をモールド樹脂で一体成形したことを特徴としている。
また、請求項３に記載の発明は、請求項１または２に記載のコアレスリニアモータ電機子において、前記基板を櫛状に構成すると共に、該基板を前記電機子取付板に配置された櫛状の巻線取付部の間に交互に噛み合うように対向配置したことを特徴としている。
また、請求項４に記載の発明は、請求項１または２に記載のコアレスリニアモータ電機子において、前記基板を平板状に構成すると共に、前記電機子取付板の巻線取付部は、前記電機子巻線を位置決め固定するための凹状の溝部が設けられたことを特徴としている。
また、請求項５に記載の発明は、請求項１〜４までの何れか１項に記載のコアレスリニアモータ電機子において、前記配線パターンが前記巻線取付板の内部に形成されたことを特徴としている。
また、請求項６に記載の発明は、請求項１〜５の何れか1項に記載の電機子と、前期電機子と磁気的空隙を介して配置されると共に界磁ヨーク上に交互に極性が異なる複数の永久磁石を等ピッチで直線状に配列した界磁磁極と、を備え、前記電機子と前記界磁磁極の何れか一方を固定子とし、他方を可動子として相対的に走行するようにしたコアレスリニアモータであることを特徴としている。
【手続補正３】
【補正対象書類名】明細書
【補正対象項目名】０００６
【補正方法】変更
【補正の内容】
【０００６】
請求項１〜３に記載の発明によると、電機子取付板に配置された櫛状の巻線取付部の間に、同じく櫛状に構成された基板を交互に噛み合うように対向配置する構成にしたので、電機子巻線に発生したジュール熱を電機子巻線と密着している基板及び電機子取付板を構成する巻線取付部から、同じく電機子取付板を構成するベース部に向かって可動子全体に均等に分散させることができ、電機子巻線に負荷電流が集中して電機子巻線が焼損する問題はなく、電機子巻線の温度差によるモータ特性の低下を防止することができる。
また、請求項４に記載の発明によると、電機子巻線を電機子取付板の巻線取付部の溝部上に位置決め固定することで、電機子巻線の支持剛性を高めることができると共に、電機子巻線で発生したジュール熱が電機子巻線と密着している基板及び電機子取付板を構成する巻線取付部から、同じく電機子取付板を構成するベース部に向かって可動子全体に均等に分散するため、電機子巻線に負荷電流が集中して電機子巻線が焼損する問題はなく、電機子巻線の温度差によるモータ特性の低下を防止することができる。
また、請求項５に記載の発明によると、電機子取付板の内部に電機子巻線を配線するための銅箔のパターンを形成し、対向配置する構成にしたので、電機子巻線に発生したジュール熱を電機子巻線と密着している電機子取付板を構成する巻線取付部から、同じく電機子取付板を構成するベース部に向かって可動子全体に均等に分散させることができ、電機子巻線に負荷電流が集中して電機子巻線が焼損する問題はなく、電機子巻線の温度差によるモータ特性の低下を防止することができる。
また、請求項６に記載の発明によると、請求項１〜５に記載のコアレスリニアモータ電機子の効果を有するコアレスリニアモータを提供することができる。
【手続補正書】
【提出日】平成24年2月9日(2012.2.9)
【手続補正１】
【補正対象書類名】特許請求の範囲
【補正対象項目名】全文
【補正方法】変更
【補正の内容】
【特許請求の範囲】
【請求項１】
中空シャフトと、当該中空シャフトの内側かつ当該中空シャフトの軸方向に並べられた複数の中空コイルとを含む固定子と、
前記中空シャフトの外側に配置された外筒と、前記中空シャフトの軸方向に並べられた複数の永久磁石で各々が構成され、前記中空シャフトの外側を囲むように当該外筒の内側に配置された複数の永久磁石群と、を含み、前記複数の中空コイルを選択的に励磁することによって前記中空シャフトの軸方向に移動する可動子と、を備える円筒型リニアスライダ装置において、
隣り合う前記永久磁石群間に配置されると共に前記可動子を移動可能に支持する複数の軸受を備えることを特徴とする円筒型リニアスライダ装置。
【請求項２】
前記複数の軸受の各々は、
複数の転動体と、
前記中空シャフトの軸方向に沿って前記中空シャフトの外面に形成された溝と、
前記外筒の内面に固着され前記溝との間で前記複数の転動体を転動可能に保持する保持部材と、により構成されることを特徴とする請求項１に記載の円筒型リニアスライダ装置。
【請求項３】
前記可動子には、前記複数の永久磁石群が前記外筒の周方向に略均等に配置され、
前記円筒型リニアスライダ装置には、前記複数の軸受が前記複数の永久磁石群の間に配置されたことを特徴とする請求項１または２に記載の円筒型リニアスライダ装置。
【請求項４】
各前記転動体は、球形状であることを特徴とする請求項２または３に記載の円筒型リニアスライダ装置。
【請求項５】
各前記転動体は、ころ形状であることを特徴とする請求項２または３に記載の円筒型リニアスライダ装置。
【手続補正２】
【補正対象書類名】明細書
【補正対象項目名】００１１
【補正方法】変更
【補正の内容】
【００１１】
上記問題を解決するため、本発明は、次のように構成したものである。
請求項１に記載の発明は、中空シャフトと、当該中空シャフトの内側かつ当該中空シャフトの軸方向に並べられた複数の中空コイルとを含む固定子と、中空シャフトの外側に配置された外筒と、中空シャフトの軸方向に並べられた複数の永久磁石で各々が構成され、中空シャフトの外側を囲むように当該外筒の内側に配置された複数の永久磁石群と、を含み、複数の中空コイルを選択的に励磁することによって中空シャフトの軸方向に移動する可動子と、を備える円筒型リニアスライダ装置において、隣り合う永久磁石群間に配置されると共に可動子を移動可能に支持する複数の軸受を備えることを特徴とするものである。
また、請求項２に記載の発明は、複数の軸受の各々が、複数の転動体と、中空シャフトの軸方向に沿って中空シャフトの外面に形成された溝と、外筒の内面に固着され溝との間で複数の転動体を転動可能に保持する保持部材と、により構成されることを特徴とするものである。
また、請求項３に記載の発明は、可動子には、複数の永久磁石群が外筒の周方向に略均等に配置され、円筒型リニアスライダ装置には、複数の軸受が複数の永久磁石群の間に配置されたことを特徴とするものである。
また、請求項４に記載の発明は、各転動体が球形状であることを特徴とするものである。
また、請求項５に記載の発明は、各転動体がころ形状であることを特徴とするものである。
【手続補正３】
【補正対象書類名】明細書
【補正対象項目名】００１２
【補正方法】変更
【補正の内容】
【００１２】
請求項１に記載の発明によると、円筒型リニアスライダ装置が複数の軸受を備えることで、小型化、組立時間の削減、コストの削減、出力の増大を実現することができる。
また、請求項２に記載の発明によると、可動子を回転させることなく移動させることができる。
また、請求項３に記載の発明によると、可動子をより安定的に移動させることができる。
また、請求項４および５に記載の発明によると、可動子を容易に移動させることができる。
【手続補正書】
【提出日】平成24年1月19日(2012.1.19)
【手続補正１】
【補正対象書類名】特許請求の範囲
【補正対象項目名】全文
【補正方法】変更
【補正の内容】
【特許請求の範囲】
【請求項１】
複数画素を有する撮像手段と、
前記撮像手段から予め決められた周期で第１の画素数の動画の各画像を読み出す駆動と、前記撮像手段から前記第１の画素数よりも多い第２の画素数の静止画を読み出す駆動とを切り替えて実行する駆動手段と、
動画の記録中に、静止画の記録を指示するための操作手段とを有し、
前記複数画素は優先領域とその他の領域とに分けられ、前記駆動手段は、動画の記録中及び前記動画の記録中に静止画の記録を行う場合に、前記撮像手段のリセット及び読み出しのそれぞれを、前記その他の領域の画素に先だって前記優先領域の画素に対して行うことを特徴とする撮像装置。
【請求項２】
前記優先領域は、前記動画の記録中に静止画の記録を行う場合に、前記動画と前記静止画とで前記優先領域の電荷蓄積時間が等しく、且つ、前記優先領域における前記静止画の読み出しが前記予め決められた周期の１周期内に終了するように設定されていることを特徴とする請求項１に記載の撮像装置。
【請求項３】
前記撮像手段から読み出された画像から、被写体を検出する検出手段を更に有し、
前記検出された被写体を含む領域を、前記優先領域とすることを特徴とする請求項１または２に記載の撮像装置。
【請求項４】
前記操作手段の指示により前記静止画を読み出した次の周期で読み出した動画における、前記その他の領域の信号を、前記優先領域の信号のレベルに合わせるように増幅する増幅手段を更に有することを特徴とする請求項１乃至３のいずれか１項に記載の撮像装置。
【請求項５】
前記優先領域は、垂直方向のライン単位で設定されることを特徴とする請求項１乃至４のいずれか１項に記載の撮像装置。
【請求項６】
複数画素を有する撮像手段を含む撮像装置の駆動方法であって、
前記撮像手段から、予め決められた周期で第１の画素数の動画の各画像を読み出して記録するステップと、
前記動画の記録中に静止画の記録の指示を受け付けるステップと、
前記静止画の記録の指示を受けた場合に、前記撮像手段から、前記第１の画素数よりも多い第２の画素数の静止画を読み出して記録するステップとを有し、
前記複数画素は優先領域とその他の領域とに分けられ、前記動画及び前記静止画の記録中に、前記撮像手段のリセット及び読み出しのそれぞれを、前記その他の領域の画素に先だって前記優先領域の画素に対して行うことを特徴とする撮像装置の駆動方法。
【請求項７】
前記優先領域は、前記動画の記録中に静止画の記録を行う場合に、前記動画と前記静止画とで前記優先領域の電荷蓄積時間が等しく、且つ、前記優先領域における前記静止画の読み出しが前記予め決められた周期の１周期内に終了するように設定されていることを特徴とする請求項６に記載の撮像装置の駆動方法。
【手続補正２】
【補正対象書類名】明細書
【補正対象項目名】０００９
【補正方法】変更
【補正の内容】
【０００９】
上記目的を達成するために、本発明の撮像装置は、複数画素を有する撮像手段と、前記撮像手段から予め決められた周期で第１の画素数の動画の各画像を読み出す駆動と、前記撮像手段から前記第１の画素数よりも多い第２の画素数の静止画を読み出す駆動とを切り替えて実行する駆動手段と、動画の記録中に、静止画の記録を指示するための操作手段とを有し、前記複数画素は優先領域とその他の領域とに分けられ、前記駆動手段は、動画の記録中及び前記動画の記録中に静止画の記録を行う場合に、前記撮像手段のリセット及び読み出しのそれぞれを、前記その他の領域の画素に先だって前記優先領域の画素に対して行う。
【手続補正３】
【補正対象書類名】明細書
【補正対象項目名】００１０
【補正方法】変更
【補正の内容】
【００１０】
また、複数画素を有する撮像手段を含む撮像装置の本発明の駆動方法は、前記撮像手段から、予め決められた周期で第１の画素数の動画の各画像を読み出して記録するステップと、前記動画の記録中に静止画の記録の指示を受け付けるステップと、前記静止画の記録の指示を受けた場合に、前記撮像手段から、前記第１の画素数よりも多い第２の画素数の静止画を読み出して記録するステップとを有し、前記複数画素は優先領域とその他の領域とに分けられ、前記動画及び前記静止画の記録中に、前記撮像手段のリセット及び読み出しのそれぞれを、前記その他の領域の画素に先だって前記優先領域の画素に対して行う。
【手続補正４】
【補正対象書類名】明細書
【補正対象項目名】００２１
【補正方法】変更
【補正の内容】
【００２１】
静止画を撮影するＳ２フィールドにおいても同じ順序で駆動するが、画素数が多いので、駆動の遷移が遅くなる。そのため、本第１の実施形態においては、Ｓ２フィールドにおいて優先領域の電荷蓄積時間（領域のリセットを開始してから、その領域の読み出しが終了するまでの時間）がＭ０フィールド及びＭ１フィールドと等しく、且つ、１フィールド内（１周期内）に優先領域の全画素の読み出しが終了するように、ライン単位で優先領域を設定する。しかしながら、Ｓ２フィールドにおける画角Ｖ１〜Ｖ３及び画角Ｖ４〜Ｖ２では、電荷蓄積時間を優先領域と等しくすると、１フィールド内に全画素の読み出しを終えることができない。従って、Ｓ２フィールドの次のＭ３フィールドの駆動を、Ｍ０フィールド及びＭ１フィールドとは異なる制御で行う。
【手続補正書】
【提出日】平成24年1月17日(2012.1.17)
【手続補正１】
【補正対象書類名】特許請求の範囲
【補正対象項目名】全文
【補正方法】変更
【補正の内容】
【特許請求の範囲】
【請求項１】
画像を領域分割して複数の分割画像を生成する分割手段と、
該複数の分割画像のうち第１の分割画像を周波数変換して符号化する第１の符号化手段と、
該複数の分割画像のうち第２の分割画像を周波数変換して符号化する第２の符号化手段と
を備える符号化装置であって、
前記第１の符号化手段及び前記第２の符号化手段は、符号化対象の分割画像を第１のブロックサイズと、該第１のブロックサイズよりも大きい第２のブロックサイズとのいずれかを有するブロックに分割して周波数変換を行い、
前記第１の分割画像が前記第２の分割画像にラスタ走査順序において先行し、かつ、該第１の分割画像と該第２の分割画像が互いに隣接する場合に、前記第１の符号化手段は、前記第１の分割画像と前記第２の分割画像との境界に接し、かつ、該第１の分割画像に属するブロックを、前記第２のブロックサイズとすることを特徴とする符号化装置。
【請求項２】
前記第１の符号化手段は、
前記第１の分割画像と前記第２の分割画像との境界に接し、かつ、該第１の分割画像に属するブロックについてイントラ予測を行う場合、前記画像の水平方向の予測画素のみを用いる予測モードを利用することを特徴とする請求項１に記載の符号化装置。
【請求項３】
前記第１の符号化手段は、
前記第１の分割画像に含まれるブロックについて量子化を行う場合、前記第１の分割画像と前記第２の分割画像との境界に接し、かつ、該第１の分割画像に属するブロックについては、予め定められた量子化ステップサイズを用いることを特徴とする請求項１または２に記載の符号化装置。
【請求項４】
前記第２の符号化手段は、
前記第１の分割画像と前記第２の分割画像との境界に接し、かつ、該第１の分割画像に属するブロックを、前記第２のブロックサイズにおいて符号化してローカルデコード画像を生成し、
前記第２の分割画像を符号化する場合に、前記第１の分割画像と前記第２の分割画像との境界に接し、かつ、該第２の分割画像に属するブロックについて行うデブロッキングフィルタ処理に、生成された前記ローカルデコード画像を利用する
ことを特徴とする請求項１に記載の符号化装置。
【請求項５】
前記第２の符号化手段は、
前記第１の分割画像と前記第２の分割画像との境界に接し、かつ、該第１の分割画像に属するブロックを前記第２のブロックサイズでイントラ予測する場合に、画像の水平方向の予測画素のみを用いる予測モードを利用することを特徴とする請求項４に記載の符号化装置。
【請求項６】
前記第２の符号化手段は、
前記第１の分割画像と前記第２の分割画像との境界に接し、かつ、該第１の分割画像に属するブロックを前記第２のブロックサイズで符号化する際の量子化処理に、予め定められた量子化ステップサイズを用いることを特徴とする請求項４または５に記載の符号化装置。
【請求項７】
画像を領域分割して複数の分割画像を生成する分割手段と、
該複数の分割画像のうち第１の分割画像を周波数変換して符号化する第１の符号化手段と、
該複数の分割画像のうち第２の分割画像を周波数変換して符号化する第２の符号化手段と
を備える符号化装置の制御方法であって、
前記第１の符号化手段及び前記第２の符号化手段は、符号化対象の分割画像を第１のブロックサイズと、該第１のブロックサイズよりも大きい第２のブロックサイズとのいずれかを有するブロックに分割して周波数変換を行い、
前記第１の分割画像が前記第２の分割画像にラスタ走査順序において先行し、かつ、該第１の分割画像と該第２の分割画像が互いに隣接する場合に、前記第１の符号化手段が、前記第１の分割画像と前記第２の分割画像との境界に接し、かつ、該第１の分割画像に属するブロックを、前記第２のブロックサイズとする工程を
備えることを特徴とする符号化装置の制御方法。
【請求項８】
コンピュータを請求項１乃至６のいずれか１項に記載の符号化装置の各手段として機能させるためのコンピュータプログラム。
【手続補正２】
【補正対象書類名】明細書
【補正対象項目名】００１４
【補正方法】変更
【補正の内容】
【００１４】
上記課題を解決するための本発明は、
画像を領域分割して複数の分割画像を生成する分割手段と、
該複数の分割画像のうち第１の分割画像を周波数変換して符号化する第１の符号化手段と、
該複数の分割画像のうち第２の分割画像を周波数変換して符号化する第２の符号化手段と
を備える符号化装置であって、
前記第１の符号化手段及び前記第２の符号化手段は、符号化対象の分割画像を第１のブロックサイズと、該第１のブロックサイズよりも大きい第２のブロックサイズとのいずれかを有するブロックに分割して周波数変換を行い、
前記第１の分割画像が前記第２の分割画像にラスタ走査順序において先行し、かつ、該第１の分割画像と該第２の分割画像が互いに隣接する場合に、前記第１の符号化手段は、前記第１の分割画像と前記第２の分割画像との境界に接し、かつ、該第１の分割画像に属するブロックを、前記第２のブロックサイズとする。